(57)【要約】  洗濯機であって、洗濯機ハウジング（１）、洗濯機ハウジング（１）内に設置される内槽（２）及び外槽（３）を含むとともに、更に、懸架式制震部材（４）と支持制震部材（５）を含む。前記懸架式制震部材（４）と支持制震部材（５）は、いずれも洗濯機ハウジング（１）と外槽（３）の間に設置されるとともに、洗濯機ハウジング（１）と外槽（３）にそれぞれ接続されている。前記懸架式制震部材（４）は外槽（３）を洗濯機ハウジング（１）内に懸架し、前記支持制震部材（５）は前記外槽（３）を支持する。支持制震部材（５）と懸架式制震部材（４）が相互に作用することで、内槽（２）と外槽（３）のぐらつきが低減する。当該洗濯機では複数種類の制震部材を使用する。複数種類の制震部材同士は連携するよう装着されており、互いに連携して共同で制震作用を奏し得る。これにより、洗濯機の各方向における震動が低減し、洗濯過程で槽アセンブリが洗濯機ハウジング（１）に衝突する確率を大幅に低下させられるため、槽アセンブリの耐偏移能力を強化可能である。特に、低速で共振点を通過する際の震動作用が小さくなって、洗濯機の騒音が低減し、洗濯過程の安全性が強化されることから、ユーザエクスペリエンスが向上する。【選択図】図１
2020529876.tif 000002
【特許請求の範囲】
【請求項１】
洗濯機ハウジング、洗濯機ハウジング内に設置される内槽及び外槽を含む洗濯機であって、
更に、懸架式制震部材と支持制震部材を含み、前記懸架式制震部材と支持制震部材は、いずれも洗濯機ハウジングと外槽の間に設置されるとともに、洗濯機ハウジングと外槽にそれぞれ接続され、前記懸架式制震部材は外槽を洗濯機ハウジング内に懸架し、前記支持制震部材は前記外槽を支持し、支持制震部材と懸架式制震部材が相互に作用することで内槽と外槽のぐらつきが低減することを特徴とする洗濯機。
【請求項２】
前記懸架式制震部材は、一端が洗濯機ハウジングの上部に接続されており、他端が外槽の側壁に接続されており、前記支持制震部材は、一端が洗濯機ハウジングの下部にヒンジ接続されており、他端が外槽の底部又は外周の側壁にヒンジ接続されており、支持制震部材と懸架式制震部材は位置をずらして設置されることを特徴とする請求項１に記載の洗濯機。
【請求項３】
前記懸架式制震部材は複数設けられ、且つ前記外槽の周方向に均一に分布しており、前記支持制震部材もまた複数設けられ、且つ外槽の中心軸線周りに均一に分布しており、前記懸架式制震部材の水平方向の投影と支持制震部材の水平方向の投影は間隔を隔てて分布しており、
好ましくは、懸架式制震部材の水平方向の投影と、これと隣り合う２つの支持制震部材の水平方向の投影とがなす夾角は互いに等しいことを特徴とする請求項１又は２に記載の洗濯機。
【請求項４】
前記懸架式制震部材と支持制震部材はいずれも対となるよう設置され、懸架式制震部材及び支持制震部材は、対ごとにそれぞれ外槽の中心軸線を中心として対称に設置され、
好ましくは、前記懸架式制震部材を二対、支持制震部材を二対とし、二対の懸架式制震部材により形成される平面が互いに垂直であり、二対の支持制震部材により形成される平面が互いに垂直であることを特徴とする請求項３に記載の洗濯機。
【請求項５】
前記懸架式制震部材と支持制震部材は、いずれも傾斜して洗濯機ハウジングと外槽の間に設置され、
好ましくは、前記懸架式制震部材は、下方から上方、内側から外側に向かって傾斜しており、前記支持制震部材は、下方から上方、外側から内側に向かって傾斜していることを特徴とする請求項１〜４のいずれかに記載の洗濯機。
【請求項６】
前記外槽は外槽底と外槽体を含み、外槽体が外槽底の上部に接続されており、
前記懸架式制震部材は、一端が外槽体の側壁に接続され、他端が洗濯機ハウジングに接続され、
前記支持制震部材は、一端が外槽底の底部又は外周の側壁に接続され、他端が洗濯機ハウジングに接続されることを特徴とする請求項１〜５のいずれかに記載の洗濯機。
【請求項７】
前記外槽底の下部には装着プレートが更に設置されており、前記装着プレートは外槽底に固定接続され、前記支持制震部材は、一端が装着プレートに固定され、他端が洗濯機ハウジングに接続されることを特徴とする請求項６に記載の洗濯機。
【請求項８】
前記外槽の槽口は前記内槽の槽口よりも低いことを特徴とする請求項１〜７のいずれかに記載の洗濯機。
【請求項９】
更に、水平制震部材を含み、前記水平制震部材は、外槽と洗濯機ハウジングの間に水平に設置されるとともに、外槽及び洗濯機ハウジングにそれぞれ接続されて、外槽及び内槽の水平方向の震動を低減させ、
好ましくは、前記水平制震部材は、外槽及び洗濯機ハウジングにヒンジ接続されるとともに、縦方向において懸架式制震部材と支持制震部材の間に設置されることを特徴とする請求項１〜８のいずれかに記載の洗濯機。
【請求項１０】
外槽底は底壁と側壁を含み、底壁と側壁で囲繞することにより外槽底が形成され、前記水平制震部材は外槽底の側壁に接続され、前記支持制震部材は外槽底の底壁又は側壁に接続され、
好ましくは、前記外槽底の側壁は下方から上方に向かって直径が徐々に拡大しており、前記水平制震部材は外槽底の側壁のうち比較的小径の部位に接続されることを特徴とする請求項９に記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機で衣類を洗浄している最中に衣類が偏ると、洗濯機内の槽アセンブリが洗濯機ハウジングに衝突し、大きな騒音が発生したり、深刻な場合には洗濯機全体が変位したりする恐れがある。衝突に起因する悪影響を軽減するために、洗濯機内には制震用の部材が設置されている。例えば、外槽と洗濯機ハウジングの間に懸架ロッドを設置し、洗濯機の震動を低減している。しかし、制震部材による制震作用は理想的とはいえず、洗濯機が共振点に達した場合には依然として槽との衝突が容易に発生する。
【０００４】
以上に鑑みて、本発明を提案する。
【発明の概要】
【発明が解決しようとする課題】
【０００５】
本発明は、従来技術の瑕疵を解消し、洗濯機を提供することを解決しようとする技術的課題とする。本発明の洗濯機の内部には複数種類の制震部材が装着されている。複数種類の制震部材同士は連携するよう装着されており、互いに連携して共同で制震作用を奏し得る。これにより、洗濯機の各方向における震動を低減させることができ、洗濯過程で槽アセンブリが洗濯機ハウジングに衝突する確率を大幅に低下させられるため、槽アセンブリの耐偏移能力を強化可能である。特に、低速で共振点を通過する際の震動作用が小さくなって、洗濯機の騒音が低減し、洗濯過程の安全性が強化されることから、ユーザエクスペリエンスが向上する。
【課題を解決するための手段】
【０００６】
上記の技術的課題を解決すべく、本発明で採用する技術方案の基本思想について以下に述べる。
【０００７】
本発明は、洗濯機を提供する。当該洗濯機は、洗濯機ハウジング、洗濯機ハウジング内に設置される内槽及び外槽を含むとともに、更に、懸架式制震部材と支持制震部材を含む。前記懸架式制震部材と支持制震部材は、いずれも洗濯機ハウジングと外槽の間に設置されるとともに、洗濯機ハウジングと外槽にそれぞれ接続される。前記懸架式制震部材は外槽を洗濯機ハウジング内に懸架し、前記支持制震部材は前記外槽を支持する。支持制震部材と懸架式制震部材が相互に作用することで、内槽と外槽のぐらつきが低減する。
【０００８】
更なる方案として、前記懸架式制震部材は、一端が洗濯機ハウジングの上部に接続されており、他端が外槽の側壁に接続されている。前記支持制震部材は、一端が洗濯機ハウジングの下部にヒンジ接続されており、他端が外槽の底部又は外周の側壁にヒンジ接続されている。支持制震部材と懸架式制震部材は位置をずらして設置される。
【０００９】
更なる方案として、前記懸架式制震部材は複数設けられ、且つ前記外槽の周方向に均一に分布する。前記支持制震部材もまた複数設けられ、且つ外槽の中心軸線周りに均一に分布する。前記懸架式制震部材の水平方向の投影と支持制震部材の水平方向の投影は間隔を隔てて分布する。
【００１０】
好ましくは、懸架式制震部材の水平方向の投影と、これと隣り合う２つの支持制震部材の水平方向の投影とがなす夾角は互いに等しい。
【００１１】
更なる方案として、前記懸架式制震部材と支持制震部材はいずれも対となるよう設置され、懸架式制震部材及び支持制震部材は、対ごとにそれぞれ外槽の中心軸線を中心として対称に設置される。
【００１２】
好ましくは、前記懸架式制震部材を二対、支持制震部材を二対とし、二対の懸架式制震部材により形成される平面が互いに垂直であり、二対の支持制震部材により形成される平面が互いに垂直である。
【００１３】
更なる方案として、前記懸架式制震部材と支持制震部材は、いずれも傾斜して洗濯機ハウジングと外槽の間に設置される。
【００１４】
好ましくは、前記懸架式制震部材は、下方から上方、内側から外側に向かって傾斜しており、前記支持制震部材は、下方から上方、外側から内側に向かって傾斜している。
【００１５】
更なる方案として、前記外槽は外槽底と外槽体を含み、外槽体が外槽底の上部に接続されている。前記懸架式制震部材は、一端が外槽体の側壁に接続され、他端が洗濯機ハウジングに接続される。前記支持制震部材は、一端が外槽底の底部又は外周の側壁に接続され、他端が洗濯機ハウジングに接続される。
【００１６】
更なる方案として、前記外槽底の下部には装着プレートが更に設置されている。前記装着プレートは外槽底に固定接続される。前記支持制震部材は、一端が装着プレートに固定され、他端が洗濯機ハウジングに接続される。
【００１７】
好ましくは、外槽底の底部と装着プレートは補強リブを介して接続される。
【００１８】
更なる方案として、前記外槽の槽口は前記内槽の槽口よりも低い。
【００１９】
更なる方案として、更に、水平制震部材を含む。前記水平制震部材は、外槽と洗濯機ハウジングの間に水平に設置されるとともに、外槽及び洗濯機ハウジングにそれぞれ接続されて、外槽及び内槽の水平方向の震動を低減させる。
【００２０】
好ましくは、前記水平制震部材は、外槽及び洗濯機ハウジングにヒンジ接続されるとともに、縦方向において懸架式制震部材と支持制震部材の間に設置される。
【００２１】
更なる方案として、外槽底は底壁と側壁を含み、底壁と側壁で囲繞することにより外槽底が形成される。前記水平制震部材は外槽底の側壁に接続され、前記支持制震部材は外槽底の底壁に接続される。
【００２２】
好ましくは、前記外槽底の側壁は下方から上方に向かって直径が徐々に拡大しており、前記水平制震部材は外槽底の側壁のうち比較的小径の部位に接続される。
【発明の効果】
【００２３】
上記の技術方案を用いることで、本発明は従来技術と比較して以下の有益な効果を有する。
【００２４】
１．本発明の洗濯機の内部には複数種類の制震部材が装着されている。複数種類の制震部材同士は連携するよう装着されており、互いに連携して共同で制震作用を奏し得る。これにより、洗濯機の各方向における震動を低減させることができ、洗濯過程で槽アセンブリが洗濯機ハウジングに衝突する確率を大幅に低下させられるため、槽アセンブリの耐偏移能力を強化可能である。特に、低速で共振点を通過する際の震動作用が小さくなって、洗濯機の騒音が低減し、洗濯過程の安全性が強化されることから、ユーザエクスペリエンスが向上する。
【００２５】
２．本発明の制震部材は、懸架式制震部材と支持制震部材を含む。懸架式制震部材は外槽を洗濯機ハウジング内に懸架し、支持制震部材は外槽の底部又は外周の側壁において外槽を支持する。これにより、槽アセンブリの耐偏移能力が強化される。また、懸架式制震部材と支持制震部材は連携するよう装着され、且つ互いに位置をずらして補い合う。これにより、槽アセンブリの耐偏移能力が更に強化され、低速で共振点を通過する際の震動作用を低減させられる。
【００２６】
３．本発明の洗濯機は、水平方向に更に水平制震部材が設けられており、外槽と内槽の水平方向における震動を低減可能である。好ましくは、水平制震部材は縦方向において懸架式制震部材と支持制震部材の間に設置される。これにより、水平方向において奏される制震効果がより良好となる。懸架式制震部材、支持制震部材及び水平制震部材が相互に作用することで、低速で共振点を通過する際の震動作用を大幅に低減可能となる。
【００２７】
以下に、図面を組み合わせて、本発明の具体的実施形態につき更に詳細に述べる。
【００２８】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２９】
【図１】図１は、本発明の洗濯機の断面構造を示す図である。
【図２】図２は、本発明の洗濯機の正面図である。
【図３】図３は、図２のＡ−Ａ方向の断面構造を示す図である。
【図４】図４は、本発明の洗濯機における懸架式制震部材の断面構造を示す図である。
【図５】図５は、本発明の洗濯機の懸架式制震部材における制震スリーブと制震緩衝装置の断面構造を示す図である。
【図６】図６は、本発明の洗濯機の懸架式制震部材における制震スリーブと制震緩衝装置の装着後の透視構造を示す図である。
【図７】図７は、本発明の洗濯機の懸架式制震部材における制震スリーブと制震緩衝装置の未装着時の透視構造を示す図である。
【発明を実施するための形態】
【００３０】
なお、これらの図面及び文字記載は何らかの方式で本発明の構想の範囲を制限するとの意図ではなく、特定の実施例を参照して当業者に本発明の概念を説明するためのものである。
【００３１】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００３２】
本発明の記載において、「上」、「下」、「前」、「後」、「左」、「右」、「縦」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３３】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体的な接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３４】
図１〜３に示すように、本実施例は、洗濯機ハウジング１、洗濯機ハウジング１内に設置される内槽２及び外槽３を含み、更に、懸架式制震部材４と支持制震部材５を含む洗濯機を提供する。前記懸架式制震部材４と支持制震部材５は、いずれも洗濯機ハウジング１と外槽３の間に設置されるとともに、洗濯機ハウジング１と外槽３にそれぞれ接続されている。前記懸架式制震部材４は外槽３を洗濯機ハウジング１内に懸架し、前記支持制震部材５は前記外槽３を支持する。支持制震部材５と懸架式制震部材４が相互に作用することで、内槽２と外槽３のぐらつきが低減する。
【００３５】
本実施例の洗濯機では、洗濯機ハウジング１と外槽３の間に懸架式制震部材４と支持制震部材５をそれぞれ設置している。これらは異なる制震方式を採っており、互いに連携し且つ相互に作用することで内槽２と外槽３のぐらつきを低減させて、槽アセンブリ（内槽２及び外槽３を含む）が洗濯過程で洗濯機ハウジング１に衝突する確率を大幅に低下可能としている。こうすることで、外槽３と内槽２の耐偏移能力が強化されるだけでなく、低速で共振点を通過する際の震動作用も低減させられるため、洗濯機の騒音が低減し、洗濯過程の安全性が強化されて、ユーザエクスペリエンスが向上する。
【００３６】
前記懸架式制震部材４は、一端が洗濯機ハウジング１の上部に接続されており、他端が外槽３の側壁に接続されている。また、前記支持制震部材５は、一端が洗濯機ハウジング１の下部にヒンジ接続されており、他端が外槽３の底部又は外周の側壁にヒンジ接続されている。支持制震部材５と懸架式制震部材４は位置をずらして設置される。
【００３７】
洗濯機の外槽３の側壁には、懸架式制震部材４を装着するための装着部９が設置されている。装着部９は外側に突出している。懸架式制震部材４は、懸架ロッド４１と、減衰力を発生させる制震スリーブ４２を含む。懸架ロッド４１の一端は、制振ユニットに固定接続されるか一体的に成型される。また、制震スリーブ４２は装着部９の下方に位置する。懸架ロッド４１は、外槽３の側壁の装着部９に挿通されて、洗濯機ハウジング１の上部に懸架される。
【００３８】
装着の完了後、制震スリーブ４２は装着部９に係止される。洗濯機が震動すると、これに伴って懸架ロッド４１と制震スリーブ４２が震動し、制震スリーブ４２内の制震部材に歪みが発生する。且つ、これに伴って歪みからの回復に要する逆方向の作用力が発生し、震動の作用力が相殺される結果、洗濯機の震動が低減する。懸架式制震部材４は洗濯機の縦方向の震動を大幅に低減させることが可能なため、洗濯機が地面に対して上下に相対運動し、大きな騒音を発生させるとの事態が回避される。
【００３９】
懸架式制震部材４のうち制震スリーブ４２を有する側の一端は外槽３の側壁に接続される。よって、懸架ロッド４１は邪魔されることなく洗濯機ハウジング１に懸架接続可能となり、外槽３と懸架ロッド４１との衝突を回避できる。
【００４０】
支持制震部材５は外槽３の下方に設置される。また、支持制震部材５は、両端が洗濯機ハウジング１と、外槽３の底部又は外周の側壁にそれぞれヒンジ接続されるため、相対的な回動を発生可能である。好ましくは、支持制震部材５を制震ダンパーとする。洗濯機に震動が発生すると、支持制震部材５は震動の作用力に対し逆方向の減衰力を発生させて洗濯機の震動を低減させる。
【００４１】
具体的に、制震ダンパーはスリーブと、スリーブに伸入するピストンロッドを含む。スリーブ内には液体又はガスが充填されている。ピストンロッドのうちスリーブから伸出する一端は外槽底３１の側壁３１２に接続され、スリーブの底部は洗濯機ハウジング１の内壁に接続される。
【００４２】
前記制震ダンパーは、ガス式制震ダンパー又は油圧式制震ダンパーである。
【００４３】
本方案の懸架式制震部材４は外槽３の側部に設置され、支持制震部材５は外槽３の底部又は外周の側壁下方に設置される。これにより、２種類の制震部材が上下に設置される。即ち、洗濯機は、上部を懸架ロッド４１、下部をダンパーとして共同で制震作用を奏するため、制震効果がより良好となる。
【００４４】
懸架式制震部材４と支持制震部材５は、縦方向において同一平面上に位置してもよいし、同一平面上に位置しなくともよいが、好ましくは、縦方向の異なる平面上に設置する。即ち、ずらして上下に設置する。こうすることで、より均一且つ安定的に制震作用を奏することが可能となる。
【００４５】
更なる方案として、前記懸架式制震部材４は複数設けられ、前記外槽３の周方向に均一に分布する。また、前記支持制震部材５も複数設けられ、外槽３の中心軸線周りに均一に分布する。前記懸架式制震部材４の水平方向の投影と支持制震部材５の水平方向の投影は間隔を隔てて分布する。
【００４６】
懸架式制震部材４と支持制震部材５はいずれも複数設け、それぞれを外槽３の外周、外槽３の底部又は外周の側壁に均一に分布させればよい。このように設置すれば、受ける力を分散させることができ、各制震部材が均一に力を受ける。これにより、外槽３と内槽２の耐偏移能力を大幅に強化できるだけでなく、１つの制震部材が過剰な力を受けて損傷するとの事態も回避可能となるため、良好な制震効果が保証される。
【００４７】
このとき、懸架式制震部材４の水平方向の投影と支持制震部材５の水平方向の投影は間隔を隔てて分布する。即ち、隣り合う２つの懸架式制震部材４の間の下方に支持制震部材５が設置され、隣り合う２つの支持制震部材５の上方に懸架式制震部材４が設置される。こうすることで、各制震部材が連携し、より多くの方向において制震作用を奏することが可能となるため、外槽３と内槽２の偏移防止効果がいっそう良好となり、外槽３が洗濯機ハウジング１に衝突する確率が更に低下する。
【００４８】
好ましくは、懸架式制震部材４の水平方向の投影と、これと隣り合う２つの懸架式制震部材４の水平方向の投影とがなす夾角は互いに等しい。
【００４９】
こうすることで、各懸架式制震部材４同士の距離が同一となるだけでなく、各支持制震部材５同士の距離も同一となり、各支持制震部材５から隣り合う懸架式制震部材４までの距離も同一となる。これにより、洗濯機の震動の作用力を完全に均一に各制震部材に分散させることができ、外槽３の偏移の確率が大幅に低下する。且つ、各制震部材が迅速に震動を吸収可能となるため、洗濯機の安定が維持され、騒音が低減する。
【００５０】
更なる方案において、前記懸架式制震部材４と支持制震部材５はいずれも対となるよう設置する。懸架式制震部材４及び支持制震部材５は、対ごとにそれぞれ外槽３の中心軸線を中心として対称に設置される。このように設置することで、作用力の分散にムラができて洗濯機の外槽３が一方の側に偏移するとの事態を回避可能となり、槽アセンブリの耐偏移能力の強化に有利となる。
【００５１】
具体的な方案として、懸架式制震部材４と支持制震部材５は一対ずつ設けられ、且つ対称に設置される。２つの懸架式制震部材４が縦方向に形成する平面と２つの支持制震部材５が形成する平面は互いに垂直となる。４つの制震部材によって震動の作用力が複数方向に分散するため、良好な制震効果が達せられる。なお、言うまでもなく、２つの懸架式制震部材４と２つの支持制震部材５が縦方向において同一の平面に位置する場合でも制震作用を奏することは可能である。
【００５２】
好ましくは、前記懸架式制震部材４を二対、支持制震部材５を二対とし、二対の懸架式制震部材４により形成される平面が互いに垂直であり、二対の支持制震部材５により形成される平面が互いに垂直である。
【００５３】
懸架式制震部材４は外槽３の外側に４つ設置され、外槽３の四方に均一に分布する。また、支持制震部材５は外槽３の底部又は外周の側壁に４つ設置され、これらもまた四方に均一に分布する。こうすることで、二対の支持制震部材５により形成される平面が互いに垂直となり得、且つ、二対の懸架式制震部材４により形成される平面が互いに垂直となる。これにより、槽アセンブリの耐偏移能力を強化する効果が良好となり、低速で共振点を通過する際の震動作用が小さくなる。
【００５４】
更なる方案として、前記懸架式制震部材４と支持制震部材５は、いずれも傾斜して洗濯機ハウジング１と外槽３の間に設置される。こうすることで、安定性及び固定性がより良好となり、制震作用にいっそうの余裕ができるため、縦方向の震動を低減可能なだけでなく、その他の方向においても一定の制震作用を奏することが可能となる。
【００５５】
好ましくは、前記懸架式制震部材４は、下方から上方、内側から外側に向かって傾斜しており、前記支持制震部材５は、下方から上方、外側から内側に向かって傾斜している。
【００５６】
洗濯機が震動すると、外槽３は外側に向かって偏移する。２種類の制震部材は、洗濯機ハウジング１に接続される一端から洗濯機の中心軸線までの距離が、外槽３に接続される一端から洗濯機の中心軸線までの距離よりも大きくなっているため、洗濯機の震動に伴ってより大きな歪み又は減衰力を発生可能であり、制震効果がより良好となる。また、外槽３の上部の震動は下部よりも大きいが、懸架式制震部材４は下方から上方且つ内側から外側に向かって傾斜しており、上端と外槽３との距離が大きくなっている。そのため、外槽３は懸架ロッド４１との衝突を回避しつつ、より安定的に洗濯機ハウジング１の上部に懸架可能である。
【実施例２】
【００５７】
図１〜３に示すように、本実施例は実施例１を更に限定する。本実施例の外槽３は外槽底３１と外槽体３２を含み、外槽体３２が外槽底３１の上部に接続されている。前記懸架式制震部材４は、一端が外槽体３２の側壁に接続され、他端が洗濯機ハウジング１に接続される。また、前記支持制震部材５は、一端が外槽底３１の底部又は外周の側壁に接続され、他端が洗濯機ハウジング１に接続される。
【００５８】
外槽体３２の側壁はほぼ真っ直ぐに設けられる。側壁には、懸架式制震部材４の制振ユニットと係合する外側に向かって突出した装着部９が設置される。懸架式制震部材４は装着部９に組み付けられるため、懸架ロッド４１が邪魔されることはない。また、支持制震部材５は外槽底３１の底部又は外周の側壁に接続される。これらがともに外槽３に作用することで、共同で制震作用を奏することが可能となる。
【００５９】
前記外槽底３１の下部には装着プレート６が更に設置されている。前記装着プレート６は外槽底３１に固定接続される。また、前記支持制震部材５は、一端が装着プレート６に固定され、他端が洗濯機ハウジング１に接続される。
【００６０】
装着プレート６は、外槽底３１の下部に設置されて、モータ１０等の駆動装置の装着に使用可能である。且つ、外槽３及び内槽２に対する支持作用も奏し得るため、槽アセンブリの耐偏移能力が強化される。また、支持制震部材５は装着プレート６に固定されるため、外槽３及び内槽２の震動を更に低減できるだけでなく、装着プレート６や駆動装置等の震動も低減可能であり、制震効果を更に強化できる。
【００６１】
好ましくは、外槽底３１の底部と装着プレート６は補強リブ７を介して接続される。これにより、固定接続を実現可能であり、且つ、内槽２と外槽３を良好に支持することも可能となる。また、モータ１０と外槽底３１との距離に合わせることで、モータ１０の重心が高過ぎて容易にぐらつくとの事態が回避される。
【００６２】
補強リブ７は、外槽底３１の底部と装着プレート６の間に複数が上下に真っ直ぐ設置される。全体的に支持する方式ではなく、補強リブ７による方式を用いることで、全体の重量を小さくすることも可能となる。
【００６３】
外槽底３１の底壁３１１には排水口が設けられている。排水口は排水管路１１に接続されており、内槽２及び外槽３内の洗浄水を排出する。
【００６４】
更なる方案として、前記外槽３の槽口は前記内槽２の槽口よりも低い。
【００６５】
本実施例の外槽３は一般的な外槽３とし、外槽３の槽口を内槽２の槽口と面一とするか、内槽２の槽口より高くしてもよいし、槽口が前記内槽２の槽口よりも低い外槽３としてもよい。更には、外槽３が槽体を有さず、外槽底３１又は外槽底３１と類似の構造のみを収集構造として保持し、内槽２から排出される水を収集してもよい。なお、この場合に空いた空間は洗濯機の内槽２の容積を拡大するために用いられる。
【００６６】
本実施例の懸架式制震部材４と支持制震部材５は、各種高さの外槽３又は槽アセンブリに対し共同で制震作用を奏し、槽アセンブリの耐偏移能力を強化することが可能であって、特に、低速で共振点を通過する際の震動作用を低減させられる。
【実施例３】
【００６７】
図１〜３に示すように、本実施例は実施例１又は実施例２を更に限定する。本実施例の洗濯機は、水平制震部材８を更に含む。前記水平制震部材８は、外槽３と洗濯機ハウジング１の間に水平に設置されるとともに、外槽３及び洗濯機ハウジング１にそれぞれ接続されて、外槽３及び内槽２の水平方向の震動を低減させる。
【００６８】
洗濯過程では、内槽２の回転速度が一定の範囲まで低下（一般的には共振点近くまで低下）すると、内槽２の水平方向のぐらつきが深刻となる。これにより、外槽３が洗濯機ハウジング１に衝突しやすくなり、外槽３及び／又は洗濯機ハウジング１の破損が招来される。外槽３の水平方向のぐらつきを低減するために、本実施例では水平制震部材８を設置し、洗濯過程における水平の震動を低減させることで、内槽２と外槽３の耐偏移能力を強化する。特に、洗濯機の回転速度が共振点に達したときの震動を低減させることで、外槽３が洗濯機ハウジング１に衝突する恐れを低下させる。
【００６９】
好ましくは、前記水平制震部材８は、外槽３及び洗濯機ハウジング１にヒンジ接続されるとともに、縦方向において懸架式制震部材４と支持制震部材５の間に設置される。水平制震部材８は水平方向の震動を低減させる。また、懸架式制震部材４と支持制震部材５の間に位置することから、これらによる水平方向の制震の不足を比較的平均して補うことが可能である。３種類の制震部材は相互に作用可能であり、洗濯過程で槽アセンブリが洗濯機ハウジング１に衝突する確率を低下させることで、槽アセンブリの耐偏移能力を強化可能である。また、低速で共振点を通過する際の震動作用が小さくなる。よって、洗濯機の騒音が低減し、洗濯過程の安全性が強化されて、ユーザエクスペリエンスが向上する。
【００７０】
更なる方案として、外槽底３１は底壁３１１と側壁３１２を含み、底壁３１１と側壁３１２で囲繞することにより外槽底３１が形成される。前記水平制震部材８は外槽底３１の側壁３１２に接続され、前記支持制震部材５は外槽底３１の底壁３１１に接続される。このような装着方式によって、水平制震部材８を懸架式制震部材４と支持制震部材５の間に位置させて、外槽３に接続することが可能となる。これにより、外槽３の水平方向における制震作用が実現される。
【００７１】
好ましくは、前記外槽底３１の側壁３１２は下方から上方に向かって直径が徐々に拡大しており、前記水平制震部材８は外槽底３１の側壁３１２のうち比較的小径の部位に接続される。こうすることで、水平制震部材８の可動範囲がより大きくなるため、いっそう良好な水平制震効果を奏することが可能となる。
【００７２】
前記水平制震部材８は複数設けられる。複数の水平制震部材８は外槽底３１の外周壁周りに設置され、且つ２つずつ対向している。２つずつ対向するよう設置することで、外槽３が受ける力をより平衡させやすくなるため、外槽３が洗濯機ハウジング１に衝突する恐れがいっそう良好に防止される。
【００７３】
水平制震部材８と懸架式制震部材４及び支持制震部材５は、ずらして上下に設置してもよいし、同一平面上に位置させてもよい。また、水平制震部材８、懸架式制震部材４及び支持制震部材５の水平方向の投影が順に間隔を隔てるように設置し、洗濯機の震動を最大限分散させることで、迅速に制震し、外槽３の偏移による洗濯機ハウジング１との衝突を防止するとの目的を達してもよい。
【００７４】
水平制震部材８は、水平に設置されるショックアブソーバであって、スリーブと接続ロッドを含み、スリーブ内に制震部材が設置されている。制震部材は、バネ減衰部材とするか、ピストン及び減衰ガス又は減衰液からなる減衰機構とする。接続ロッドは、一端がスリーブ内に伸入して制震部材に接続され、他端が洗濯機ハウジング１の内壁／外槽底３１の外側壁３１２に接続される。また、これに対応して、スリーブは外槽底３１の外側壁３１２／洗濯機ハウジング１の内壁に接続される。
【００７５】
具体的に、ショックアブソーバは、スリーブ及びスリーブに伸入するピストンロッドを含む。スリーブ内には液体又はガスが充填されている。ピストンロッドのうちスリーブから伸出する一端は外槽底３１の側壁３１２に接続され、スリーブの底部は洗濯機ハウジング１の内壁に接続される。
【００７６】
前記ショックアブソーバは、ガス式ショックアブソーバ又は油圧式ショックアブソーバである。
【実施例４】
【００７７】
図４〜図７に示すように、本実施例は実施例１を更に限定するものであり、懸架ロッド４１と、懸架ロッド４１の下端に覆設される制震スリーブ４２を含む懸架式制震部材４を提供する。洗濯機の外槽における底部又は外周の側壁には、制震スリーブ４２を懸架するための装着部が設けられている。制震スリーブ４２は装着部の下方に配置され、懸架ロッド４１が装着部に挿通されて洗濯機の洗濯機ハウジングに懸架される。また、制震緩衝装置１２を更に含む。前記制震緩衝装置１２は懸架ロッド４１に覆設され、装着部と制震スリーブ４２の間に位置して、制震スリーブ４２の上端表面を覆うことで震動を低減させる。
【００７８】
懸架式制震部材４は洗濯機の四隅に装着される。また、洗濯機の外槽における外周の側壁には装着部が設けられている。懸架ロッド４１ユニットは、下端が洗濯機の外槽の装着部に装着され、他端が対応する洗濯機ハウジングの隅に懸架される。本発明の外槽は一般的な外槽としてもよいし、高さが内槽よりも遥かに低い外槽としてもよい。即ち、孔の無い内槽と組み合わせて使用される外槽や、内槽からの排水を収集可能な集水装置としてもよく、外槽又は集水装置の外周に装着部が設けられればよい。
【００７９】
制震スリーブ４２の内部には、バネ群１３と、バネ群１３を固定するためのバネ座が設けられている。懸架ロッド４１は接続の役割を果たす。一般的に、装着部は懸架ベースであり、懸架孔を有する。懸架ロッド４１は、懸架孔に挿通されて対応位置の洗濯機ハウジングに懸架される。また、懸架ロッド４１の下端の制震スリーブ４２は懸架孔の下部に係止される。こうすることで、洗濯機の震動時に、懸架ロッド４１ユニットが内槽と洗濯機に対する震動低減作用を奏することが可能となる。
【００８０】
本実施例の懸架式制震部材４に設けられる制震緩衝装置１２は、装着部と制震スリーブ４２の間に位置して制震スリーブ４２の上端表面を覆うため、従来の制震パッドと比較して、制震スリーブ４２及び装着部との接触面積が大きくなる。そのため、洗濯機の震動により懸架式制震部材４が上下左右に移動する際に、可撓性材料により覆われている外槽の装着部と制震スリーブ４２の間の面積が大きくなり、両者の衝突や震動に伴う圧力や震動が低減する。これにより、制震効果が良好となり、洗濯機の震動低減を補助可能となる。
【００８１】
このほか、制震緩衝装置１２と制震スリーブ４２及び装着部との接触面積がいずれも大きくなることから、懸架式制震部材４及び洗濯機の震動をより良好に低減できるだけでなく、制震緩衝装置１２自体が受ける圧力や衝撃も小さくなり、且つ受ける力が分散する。よって、破損しにくく、使用寿命が延び、交換コストの節約となる。
【００８２】
更なる方案として、前記制震スリーブ４２は、一体的に成型されるブラケット１４とスリーブ１５を含む。ブラケット１４はスリーブ１５の上端の開口を封止している。ブラケット１４は、懸架ロッド４１の軸方向に上方へ延伸する管状のフランジ１４−１と、管状のフランジ１４−１からスリーブ１５の上端の開口に向かって延伸する移行構造１４−２を含む。また、前記制震緩衝装置１２には覆設部１２１と制震部１２２が設けられている。覆設部１２１は管状のフランジ１４−１に覆設され、制震部１２２は移行構造１４−２の外表面を覆う。
【００８３】
制震スリーブ４２のブラケット１４は、スリーブ１５と一体的に成型されてスリーブ１５の上端口を封止しており、スリーブ１５の下端口は密封カバー１７により密封されている。よって、制震スリーブ４２の内部には密閉空間が形成されている。バネ群１３は制震スリーブ４２に覆われているため、腐食や破損が回避される。ブラケット１４は、懸架ロッド４１の軸方向に上方へ延伸する管状のフランジ１４−１を有するとともに、下方に向かって懸架ロッド４１の軸方向に延伸することで、バネ座を固定可能な固定ベースを形成している。管状のフランジ１４−１の直径はスリーブの直径よりも小さいため、管状のフランジ１４−１の下端が外側及び下方に向かってスリーブ１５の上端の開口と一体化するまで徐々に延伸し、移行構造１４−２を形成する必要がある。
【００８４】
本実施例の制震緩衝装置１２は可撓性材料から構成される。覆設部１２１は管状のフランジ１４−１に覆設され、且つ外部が外槽の装着部の下方に係止される。これにより、摺動減衰の作用を奏することが可能となり、懸架ロッド４１ユニットの上下運動時の摩擦力が増大するため、震動が低減する。一般的に、制震スリーブ４２と装着部はプラスチック材質からなる。制震スリーブ４２は上下の震動時に装着部と衝突しやすいが、制震部１２２によって移行構造１４−２の外表面が覆われている。このことは、制震スリーブ４２の上端全体が可撓性材料で覆われていることに相当し、且つ覆われる面積も大きい。制震スリーブ４２と装着部の間は制震緩衝装置１２によって緩衝されるため、制震スリーブ４２と装着部との衝突や震動が軽減し、洗濯機の震動が更に低減する。
【００８５】
好ましくは、覆設部１２１の長さは管状のフランジ１４−１の長さと同一であり、管状のフランジ１４−１を完全に覆う。これにより、接触面積を大きくできるため、摺動減衰が増大する。
【００８６】
更なる方案として、前記覆設部１２は管状のフランジ１４−１の外部に覆設され、管状のフランジ１４−１の外壁と接触を維持することで摺動減衰を発生させる。覆設部１２１と管状のフランジ１４−１の外周壁は固定せず、密着させてもよいし、一定の隙間を介して接触を維持してもよい。これにより、相対運動の発生時に摺動減衰を生じさせ、震動を低減することが可能となる。
【００８７】
更なる方案として、覆設部１２１の内部には突起が設けられており、管状のフランジ１４−１の外壁と接触することで摺動減衰を増大させる。覆設部１２１は管状をなしており、内壁に懸架ロッド４１に向かって突出する突起を設ければよい。突起は複数の点状の突起としてもよいし、線状や螺旋状等の摩擦力を増大可能な突起としてもよい。また、規則的に配列してもよいし、不規則に配列してもよい。
【００８８】
好ましくは、前記突起は、懸架ロッド４１の周方向に沿って間隔を隔てて設置される環状の突出リブとする。環状の突出リブとすれば、摺動減衰が更に増大し、震動を低減することが可能となる。
【００８９】
更なる方案として、管状のフランジ１４−１の直径はスリーブ１５の直径よりも小さく、管状のフランジ１４−１の下縁が、外側に向かってスリーブ１５の上端の開口まで延伸することで移行構造１４−２が形成される。移行構造１４−２の外表面は、懸架ロッド４１の軸方向の中心から外側に向かって傾斜する平面又は曲面である。前記制震部１２２は移行構造１４−２の外表面と係合し、移行構造１４−２の外部を覆うとともに接触する。
【００９０】
管状のフランジ１４−１の直径はスリーブの直径よりも小さいため、管状のフランジ１４−１の下端は、外側及び下方に向かってスリーブ１５の上端の開口と一体化するまで徐々に延伸する必要がある。移行構造１４−２の外表面は内側から外側に向かって傾斜しており、制震スリーブ４２の上端において装着部に係止可能である。且つ、移行構造１４−２は、上下左右への震動発生時に押圧力を低減して破損を回避する。また、傾斜して設置される移行構造１４−２の外部を制震部１２２が覆っているため、衝撃による震動を更に低減させられる。
【００９１】
更なる方案として、前記覆設部１２１の下縁は外側に向かって延伸し、制震部１２２を形成する。制震部１２２の内表面は移行構造１４−２の外表面と係合する。また、制震部１２２は移行構造１４−２を覆うとともに、スリーブ１５の外表面へ滑らかに移行する。好ましくは、制震部１２２の内表面と移行構造１４−２の外表面は互いに係合する曲面をなす。
【００９２】
制震部１２２のサイズや形状は、ブラケット１４の移行構造１４−２に対応している。移行構造１４−２は、懸架ロッド４１の軸方向の中心から外側に向かって傾斜する平面又は曲面である。また、これに対応して、制震部１２２も覆設部１２１の下端縁から外側に向かって傾斜する平面又は曲面となっており、移行構造１４−２の外表面を包み、覆うとともに、移行構造１４−２に接触可能である。こうすることで、可撓性材料による被覆面積が大幅に増大する。且つ、互いに係合することで偏移が発生しにくくなるため、制震スリーブ４２が装着部と衝突した際に受ける力を小さくでき、震動が低減する。また、制震部１２２はスリーブ１５の外表面へ滑らかに移行している。そのため、第一に見た目が良くなり、第二に、制震部１２２の辺縁が押圧されたり、制震スリーブ４２の上端の辺縁が制震部１２２により覆われなくなったりとの事態が発生しない。よって、震動の低減に有利である。また、制震部１２２の内表面と移行構造１４−２の外表面は互いに係合する曲面であるため、衝突時に受ける力を更に小さくでき、押圧による損傷が回避される。
【００９３】
更なる方案として、前記移行構造１４−２のうちスリーブ１５寄りの一端には、周方向の環状の凹台１６が設けられており、制震部１２２の辺縁が環状の凹台１６と係合する。制震緩衝装置１２を懸架ロッド４１に覆設して装着する際に、制震部１２２の辺縁は環状の凹台１６内に係止される。
【００９４】
移行構造１４−２の下端に周方向の環状の凹台１６を設け、制震部１２２の辺縁を環状の凹台１６内に係設するよう挿入することで、制震緩衝装置１２の位置ずれをより良好に防止可能となる。これにより、震動中であっても制震スリーブ４２の上端を完全に覆ったままとでき、制震スリーブ４２と装着部との衝撃が小さくなるため、震動が低減する。
【００９５】
更なる方案として、前記制震部１２２の辺縁は懸架ロッド４１の軸方向に延伸する。辺縁の厚さは環状の凹台１６に対応しており、且つ、スリーブ１５の外表面へと滑らかに移行する。
【００９６】
制震部１２２の外表面は中心から外側に向かって延伸し、辺縁箇所で方向を変えて懸架ロッド４１の軸方向に延伸する。これにより、制震スリーブ４２の上端に掛合可能となり、制震緩衝装置１２の震動中の位置ずれが防止される。且つ、制震部の辺縁はスリーブ１５の外表面へと滑らかに移行することから、外縁を保護可能となり、震動時の衝撃による辺縁の角の破損が回避される。
【００９７】
以上は本発明の好ましい実施例にすぎず、本発明を何らかの形式に制限するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００９８】
１        洗濯機ハウジング
２        内槽
３        外槽
３１      外槽底
３１１    底壁
３１２    側壁
３２      外槽体
４        懸架式制震部材
４１      懸架ロッド
４２      制震スリーブ
５        支持制震部材
６        装着プレート
７        補強リブ
８        水平制震部材
９        装着部
１０      モータ
１１      排水管路
１２      制震緩衝装置
１２１    覆設部
１２２    制震部
１３      バネ群
１４      ブラケット
１４−１  管状のフランジ
１４−２  移行構造
１５      スリーブ
１６      環状の凹台
１７      密封カバー
【図１】
2020529876.tif 000003
【図２】
2020529876.tif 000004
【図３】
2020529876.tif 000005
【図４】
2020529876.tif 000006
【図５】
2020529876.tif 000007
【図６】
2020529876.tif 000008
【図７】
2020529876.tif 000009
【国際調査報告】
2020529876.tif 000010
2020529876.tif 000011
2020529876.tif 000012
2020529876.tif 000013